(57)【要約】【課題】通信チャネル切り替え時の操作性に優れた携帯型無線機を提供する。【解決手段】チャネルスイッチ１１１は、ユーザが操作によて通信チャネルの設定が切り替えられたときに切り替え信号Ｓ０を出力する。無線制御回路１１２は、切り替え信号Ｓ０を入力して、通信チャネルを切り替える。ビープ音発生回路１１３は、切り替え信号Ｓ０から新たに設定された通信チャネル番号を判定し、その通信チャネル番号に応じた回数分のビープ音信号を出力する。スピーカマイク１２０のスピーカ１２１は、このビープ音信号から、ビープ音を再生する。新たに設定された通信チャネルのチャネル番号をビープ音の再生回数から知ることができるので、ユーザは通信チャネルを目視で確認する必要がなく、したがって操作性が改善される。【選択図】図１
2007043276.tif 000002
【特許請求の範囲】
【請求項１】
ユーザが操作する通信チャネル設定手段と、
該通信チャネル設定手段から入力した切り替え信号に基づいて通信チャネルを切り替える無線制御手段と、
前記通信チャネル設定手段から入力した前記切り替え信号に基づいて通信チャネル番号を判定し、該通信チャネル番号を前記ユーザに告知するための告知音をスピーカに再生させる設定用告知音発生手段と、
を備えることを特徴とする携帯型無線機。
【請求項２】
前記通信チャネル設定手段がロータリースイッチであることを特徴とする請求項１に記載の携帯型無線機。
【請求項３】
ユーザが操作する通信チャネル確認手段と、
前記通信チャネル確認手段から確認信号を入力したときに、使用中の通信チャネル番号を判定して、該通信チャネル番号を前記ユーザに告知するための告知音を前記スピーカに再生させる確認用告知音発生手段と、
をさらに備えることを特徴とする請求項１に記載の携帯型無線機。
【請求項４】
前記通信チャネル設定手段が押し釦スイッチ付ロータリースイッチのロータリースイッチ部であり、且つ、前記通信チャネル確認手段が該押し釦スイッチ付ロータリースイッチの押し釦スイッチ部であることを特徴とする請求項３に記載の携帯型無線機。
【請求項５】
前記通信チャネル確認手段が、本体部に設けられた第１跳ね返り押し釦スイッチと、イヤホンマイクに設けられた第２跳ね返り押し釦スイッチと、該第１、第２跳ね返り押し釦スイッチがともにオンされたときに前記確認信号を前記確認告知音発生手段に送る論理積回路と、
を有することを特徴とする請求項３に記載の携帯型無線機。
【請求項６】
前記通信チャネル設定手段が押し釦スイッチ付ロータリースイッチのロータリースイッチ部であり、且つ、前記第１跳ね返り押し釦スイッチが該押し釦スイッチ付ロータリースイッチの押し釦スイッチ部であることを特徴とする請求項５に記載の携帯型無線機。
【請求項７】
前記設定用告知音発生手段または前記確認用告知音発生手段の少なくとも一方が、前記通信チャネル番号に応じた回数の告知音を前記スピーカに再生させることを特徴とする請求項１〜６のいずれかに記載の携帯型無線機。
【発明の詳細な説明】
【技術分野】
【０００１】
この発明は、複数の通信チャネルのいずれか１チャネルを選択して相手方端末と交信する携帯型無線機に関する。より詳細には、この発明は、被設定通信チャネルをユーザに告知する機能を備えた携帯型無線機に関する。
【背景技術】
【０００２】
携帯型無線機（ハンディトランシーバ）は、基地局を介さずに相手方の携帯型無線機と直接交信することができ、通信料が不要であることなどの理由から、工事現場作業員や交通整理誘導員等の通信手段として幅広く利用されている。このような用途で使用される携帯型無線機は、ユーザの作業性を向上させるために、両手を使わずに通話を行えることが望まれる。このため、この種の携帯型無線機としては、本体部を腰ベルト等に装着するとともに、衣服の胸元などにスピーカマイクを取り付けて使用できるように構成されたものが、多く使用されている。
【０００３】
図４（Ａ）は、従来の携帯型無線機の外観構成を概略的に示す斜視図である。また、図４（Ｂ）は、かかる携帯型無線機の操作面を概略的に示す平面図である。
【０００４】
図４に示した携帯型無線機４００は、本体部４１０とスピーカマイク部４２０とを有する。本体部４１０の上面には、アンテナ４１１と、スピーカマイクコネクタ４１２と、操作釦（チャネルスイッチ４１３およびボリュームつまみ４１４）とが設けられている。上面に操作釦４１３，４１４を設けたのは、ユーザの腰ベルト等に装着したままの状態で操作し易いからである。
【０００５】
図４に示したように、一般的な携帯型無線機４００には、チャネルスイッチ４１３が設けられている。このチャネルスイッチ４１３により、複数の通信チャネル（周波数チャネル）のいずれか１チャネルを、ユーザが手動または自動で選択することができる（下記特許文献１の段落０００２等参照）。
【０００６】
一般的な携帯型無線機４００では、チャネルスイッチ４１３の外周に沿って、チャネル番号（図４の例では「１」〜「６」）が表示されている。ユーザは、このチャネル番号表示を目視しながらチャネルスイッチ４１３を回転させることにより、チャネル番号を所望のものに切り替えることができる。また、現在使用中のチャネル番号を確認したい場合にも、ユーザは、このチャネル番号表示を目視すればよい。
【特許文献１】特開平６−１５２４７０号公報
【発明の開示】
【発明が解決しようとする課題】
【０００７】
しかしながら、チャネル番号表示を目視するために視線を下に落とす場合、ユーザが行っている作業（工事現場作業や交通整理作業等）を一時的に中断したり視線をそらしたりすることになるので、操作性が悪いだけでなく、危険を伴うおそれもある。さらに、例えばコートや作業上着が本体部４１０に被さっているためにユーザが両手でコート等を捲り上げなければチャネル番号表示を目視できないような場合には、チャネル番号の切替や確認のための負担が増す分だけ、操作性の悪さや危険性も増大する。また、夜間や暗所等、そもそもユーザがチャネル番号表示を目視できない場合もある。
【０００８】
このため、従来は、チャネルスイッチ４１３を右端または左端に回しきった後で所望回数の切り替えを行うことによって、チャネル番号の設定を行うユーザが多かった。例えば、図４（Ｂ）の例では、まずチャネルスイッチ４１３を左端まで回して「１」に設定し、その後、チャネルスイッチ４１３を右に回転させて通信チャネルを３回切り替えれば、チャネル番号は「４」に設定される。このような方法によれば、チャネルスイッチ４１３を目視することなく通信チャネルを切り替えることができる。また、チャネル番号を確認したいような場合にも、チャネル番号表示を目視するのではなく、このような方法で再設定を行えばチャネル番号表示を目視する必要はない。
【０００９】
しかし、通信チャネルを切り替えや確認のたびに「チャネルスイッチ４１３を右端または左端に回しきった後でさらに逆方向に回す」という操作を行ったのでは、かかる切り替え・確認操作の操作性を十分に向上させたとは言えない。また、通信チャネルの設定ミスを防止するためには、最終的にはチャネル番号表示を目視する必要が生じてしまう。このような理由から、従来の携帯型無線機４００は、通信チャネル切り替え・確認時の操作性が不十分であった。
【００１０】
この発明の課題は、通信チャネル切り替え・確認時の操作性に優れた携帯型無線機を提供することにある。
【課題を解決するための手段】
【００１１】
この発明に係る携帯型無線機は、ユーザが操作する通信チャネル設定手段と、通信チャネル設定手段から入力した切り替え信号に基づいて通信チャネルを切り替える無線制御手段と、通信チャネル設定手段から入力した切り替え信号に基づいて通信チャネル番号を判定し、通信チャネル番号をユーザに告知するための告知音をスピーカに再生させる設定用告知音発生手段とを備える。
【発明の効果】
【００１２】
この発明によれば、ユーザが通信チャネルの設定を切り替えたときに、新しく設定されたチャネル番号を告知音でユーザに告知することができるので、通信チャネル切り替え操作が簡単になる。
【発明を実施するための最良の形態】
【００１３】
以下、この発明の実施の形態について、図面を用いて説明する。なお、図中、各構成成分の大きさ、形状および配置関係は、この発明が理解できる程度に概略的に示してあるにすぎず、また、以下に説明する数値的条件は単なる例示にすぎない。
【００１４】
第１の実施形態
以下、この発明の第１の実施形態について、図１を用いて説明する。
【００１５】
この実施形態に係る携帯型無線機の外観構成は、従来の場合（図４参照）と同様であるので、説明を省略する。
【００１６】
図１は、この実施形態に係る携帯型無線機の電気的構成を概略的に示すブロック図である。図１に示したように、この実施形態の携帯型無線機１００は、本体部１１０と、スピーカマイク１２０とを備えている。そして、本体部１１０は、チャネルスイッチ１１１と、無線制御回路１１２と、告知音発生手段としてのビープ音発生回路１１３と、送受信回路１１４と、アンテナ１１５とを備えている。また、スピーカマイク１２０は、スピーカ１２１とマイク１２２とを備えている。
【００１７】
チャネルスイッチ１１１は、ユーザが操作して所望の通信チャネルに設定するためのスイッチである。このチャネルスイッチ１１１は、ユーザが通信チャネルの設定を変更したときに、新しく設定された通信チャネルを示す切り替え信号Ｓ０を出力する。チャネルスイッチ１１１としては、例えば、ロータリースイッチが使用される。
【００１８】
無線制御回路１１２は、チャネルスイッチ１１１から入力した切り替え信号Ｓ０に基づいて、新しく設定されたチャネル番号を判断し、送受信回路１１４の通信チャネル（通信周波数）を切り替える。
【００１９】
ビープ音発生回路１１３は、チャネルスイッチ１１１から入力した切り替え信号Ｓ０に基づいて、新しく設定されたチャネル番号を判断する。そして、ビープ音発生回路１１３は、このチャネル番号に応じた回数分のビープ音信号Ｓ１を、スピーカマイク１２０内のスピーカ１２１に送る。これにより、新しく設定されたチャネル番号が、告知音すなわちビープ音によって、ユーザに告知されるようになる。
【００２０】
送受信回路１１４は、アンテナ１１５を用いて、携帯型無線機１００の音声通信を行う。すなわち、送受信回路１１４は、このアンテナ１１５が受信した電波信号を音声信号Ｓ２に変換してスピーカマイク１２０のスピーカ１２１に送り、且つ、スピーカマイク１２０のマイク１２２から入力された音声信号Ｓ３を電波信号に変換してアンテナ１１５から送信する。
【００２１】
スピーカ１２１は、上述したように、ビープ音発生回路１１３および送受信回路１１４から入力した信号Ｓ１，Ｓ２からビープ音や音声を再生する。
【００２２】
マイク１２２は、ユーザが発した音声を音声信号Ｓ３に変換して、送受信回路１１４に送る。
【００２３】
なお、本体部１１０には、従来と同様のボリュームつまみ（図４参照）等を設けてもよいが、ここでは省略した。
【００２４】
次に、この実施形態に係る携帯型無線機１００の動作について説明する。
【００２５】
ユーザがチャネルスイッチ１１１を回転させると、切り替え信号Ｓ０が、このチャネルスイッチ１１１から出力される。
【００２６】
無線制御回路１１２は、この切り替え信号Ｓ０を用いて新たな通信チャネルを判断し、送受信回路１１４の通信チャネル（通信周波数）を切り替える。
【００２７】
一方、ビープ音発生回路１１３は、この切り替え信号Ｓ０を用いて新たな通信チャネルを判断し、チャネル番号に応じた回数分のビープ音信号Ｓ１を、スピーカマイク１２０内のスピーカ１２１に送る。例えば、新たな通信チャネルが「３」の場合、ビープ音発生回路１１３は、３個分のビープ音信号Ｓ１を送る。
【００２８】
スピーカ１２１は、このビープ音信号Ｓ１を再生して、ビープ音を出力する。したがって、スピーカ１２１は、３個分のビープ音信号Ｓ１が入力された場合、３個のビープ音を再生する。これにより、ユーザは、通信チャネルが「３」に設定されたと確認することができる。
【００２９】
以上説明したように、この実施形態に係る携帯型無線機１００によれば、チャネル番号表示を目視することなしに、チャネル番号をユーザに確実に認識させることができる。また、上述のような、チャネルスイッチ１１１を右端または左端まで回しきるといった操作が不要である。したがって、この実施形態によれば、通信チャネルを変更する際の操作性を向上させることができる。
【００３０】
さらに、この実施形態に係る携帯型無線機１００によれば、何らかの原因でチャネルスイッチ１１１が勝手に回転して通信チャネルが変更されてしまったような場合でも、ユーザにそのことを告知することができる。
【００３１】
第２の実施形態
次に、この発明の第２の実施形態について、図２を用いて説明する。
【００３２】
この実施形態は、現在設定されている通信チャネルをビープ音によって告知する機能を付加した点等で、第１の実施形態と異なる。
【００３３】
図２は、この実施形態に係る携帯型無線機２００の電気的構成を概略的に示すブロック図である。図２において、図１と同じ符号を付した構成要素は、それぞれ図１と同じものを示している。
【００３４】
図２において、押し釦スイッチ付ロータリースイッチ２１０は、ロータリースイッチと押し釦スイッチとを一体化したスイッチである。このようなスイッチとしては、例えば、特開平８−５０８３４号公報に記載されたものや、特開２００４−２９６２０９号公報に記載されたものが知られている。
【００３５】
スイッチ２１０のロータリースイッチ部２１１は、第１の実施形態におけるチャネルスイッチ１１１と同様、ユーザが操作して所望の通信チャネルに設定するためのスイッチであり、ユーザが通信チャネルの設定を変更したときに切り替え信号Ｓ０を出力する。
【００３６】
一方、スイッチ２１０の押し釦スイッチ部２１２は、ユーザが操作して現在設定されている通信チャネルを確認するためのスイッチである。この押し釦スイッチ部２１２は、ユーザによって押し下げられたときに、確認信号Ｓ４を出力する。なお、この実施形態では、押し釦スイッチ部２１２として、跳ね返り型（ユーザが押し釦から指を離すと押し下げ前の位置に戻るタイプの釦）を使用する。
【００３７】
また、図２において、ビープ音発生回路２２０は、設定用ビープ音発生部２２１と、確認用ビープ音発生部２２２とを備えている。
【００３８】
設定用ビープ音発生部２２１は、第１の実施形態におけるビープ音発生回路１１３と同様、ロータリースイッチ部２１１から入力した切り替え信号Ｓ０に基づいて新しく設定されたチャネル番号を判断し、そのチャネル番号に応じた回数分のビープ音信号Ｓ１をスピーカ１２１に送る。
【００３９】
一方、確認用ビープ音発生部２２２は、押し釦スイッチ部２１２から確認信号Ｓ４を入力したときに、現在設定されている通信チャネルを、無線制御回路１１２から入力する。そして、確認用ビープ音発生部２２２は、そのチャネル番号に応じた回数分のビープ音信号Ｓ５を、スピーカ１２１に送る。
【００４０】
次に、この実施形態に係る携帯型無線機２００の動作について説明する。
【００４１】
ユーザが押し釦スイッチ部２１２を押し下げると、この押し釦スイッチ部２１２から確認信号Ｓ４が出力される。
【００４２】
確認用ビープ音発生部２２２は、この切り替え信号Ｓ４を入力すると、現在設定されている通信チャネルを無線制御回路１１２から入力して、そのチャネル番号に応じた回数分のビープ音信号Ｓ５を、スピーカマイク１２０内のスピーカ１２１に送る。例えば、現在設定されている通信チャネルが「３」の場合、確認用ビープ音発生部２２２は、３個分のビープ音信号Ｓ５を送る。
【００４３】
スピーカ１２１は、このビープ音信号Ｓ５を再生して、ビープ音を出力する。したがって、スピーカ１２１は、３個分のビープ音信号Ｓ５が入力された場合、３個のビープ音を再生する。これにより、ユーザは、通信チャネルが「３」に設定されていると確認することができる。
【００４４】
なお、通信チャネルの設定を変更する場合の動作については、上述の第１の実施形態と同様であるので、説明を省略する。
【００４５】
以上説明したように、この実施形態に係る携帯型無線機２００によれば、チャネル番号表示を目視することなしに、現在設定されているチャネル番号をユーザに確実に確認させることができる。また、上述のような、チャネルスイッチ（この実施形態では押し釦スイッチ付ロータリースイッチ２１０のロータリースイッチ部２１１）を右端または左端まで回しきるといった操作が不要である。したがって、この実施形態によれば、通信チャネルを確認する際の操作性を向上させることができる。
【００４６】
さらに、この実施形態に係る携帯型無線機２００によれば、上述の第１の実施形態と同様の理由により、チャネル番号を変更する際の操作性も向上させることができる。
【００４７】
また、この実施形態に係る携帯型無線機２００では、通信チャネルを変更設定するためのロータリースイッチ部２１１と、かかる通信チャネルを確認するための押し釦スイッチ部２１２とを一体化することにより、操作面の省スペース化や操作性の向上を図ったが、これらのスイッチを個別に設けてもよいことはもちろんである。
【００４８】
第３の実施形態
次に、この発明の第３の実施形態について、図３を用いて説明する。
【００４９】
図３は、この実施形態に係る携帯型無線機の電気的構成を概略的に示すブロック図である。図３において、図１、図２と同じ符号を付した構成要素は、これらの図と同じものを示している。
【００５０】
この実施形態に係る携帯型無線機３００では、押し釦スイッチ部２１２と、跳ね返り押し釦スイッチ３０１と、論理積回路３０２とを用いて、現在設定されている通信チャネルを確認する。
【００５１】
跳ね返り押し釦スイッチ３０１は、スピーカマイク１２０に設けられており、ユーザによって押し下げられたときに信号Ｓ６を出力する（すなわち、確認信号Ｓ６をオンレベルにする）。
【００５２】
論理積回路３０２は、信号Ｓ４，Ｓ６がともにオンレベルのときは確認信号Ｓ７を出力するが、他の場合は確認信号Ｓ７を出力しない。すなわち、論理積回路３０２は、跳ね返り押し釦スイッチ３０１と押し釦スイッチ部２１２の両方を押し下げられた場合にのみ、確認信号Ｓ７を確認用ビープ音発生部２２２に送る。
【００５３】
次に、この実施形態に係る携帯型無線機３００の動作について説明する。
【００５４】
ユーザが、跳ね返り押し釦スイッチ３０１と押し釦スイッチ部２１２の両方を押し下げると、これらのスイッチ３０１，２１２から確認信号Ｓ４，Ｓ６が出力される。これにより、論理積回路３０２から確認信号Ｓ７が出力される。
【００５５】
確認用ビープ音発生部２２２は、この確認信号Ｓ７を入力すると、第２の実施形態と同様、現在設定されている通信チャネルを無線制御回路１１２から入力して、そのチャネル番号に応じた回数分のビープ音信号Ｓ５を、スピーカマイク１２０内のスピーカ１２１に送る。
【００５６】
スピーカ１２１は、このビープ音信号Ｓ５を再生して、ビープ音を出力する。これにより、ユーザは、第２の実施形態と同様にして、現在設定されている通信チャネルを確認することができる。
【００５７】
なお、通信チャネルの設定を変更する場合の動作については、上述の第１の実施形態と同様であるので、説明を省略する。
【００５８】
以上説明したように、この実施形態に係る携帯型無線機３００によれば、ユーザが跳ね返り押し釦スイッチ３０１と押し釦スイッチ部２１２の両方を押し下げた場合にのみ、現在設定されている通信チャネルを確認するためのビープ音が再生される。このため、この実施形態によれば、ユーザの意図に反して確認用ビープ音が再生されてしまうことがない。例えば、携帯型無線機３００を壁にぶつけてしまったり、コートや作業上着などで押し釦スイッチ付ロータリースイッチ２１０の押し釦スイッチ部２１２が押されてしまったときにも、この実施形態によれば、不要なビープ音再生が行われることがない。また、チャネルを変更する時、押し釦付きロータリースイッチ２１０を手でさわり、回したつもりが、無意識に押してしまった場合でも、現チャネルのビープ音は再生されないため誤認識を防ぐことができる。
【００５９】
また、チャネル番号表示を目視したり、ロータリースイッチ部２１１を右端または左端まで回しきるといった操作をすることなしに、チャネル番号の設定変更や確認ができる点は、上述の第２の実施形態と同様である。
【００６０】
加えて、押し釦スイッチ付ロータリースイッチを用いることにより、操作面の省スペース化や操作性の向上を図れる点も、上述の第２の実施形態と同様である。
【図面の簡単な説明】
【００６１】
【図１】第１の実施形態に係る携帯型無線機の電気的構成を概略的に示すブロック図である。
【図２】第２の実施形態に係る携帯型無線機の電気的構成を概略的に示すブロック図である。
【図３】第３の実施形態に係る携帯型無線機の電気的構成を概略的に示すブロック図である。
【図４】（Ａ）は従来の携帯型無線機の外観構成を概略的に示す斜視図、（Ｂ）は従来の携帯型無線機の操作面を概略的に示す平面図である。
【符号の説明】
【００６２】
１００，２００，３００，４００  携帯型無線機
１１０  本体部
１１１  チャネルスイッチ
１１２  無線制御回路
１１３，２２０  ビープ音発生回路
１１４  送受信回路
１１５  アンテナ
１２０  スピーカマイク
１２１  スピーカ
１２２  マイク
２１０  押し釦スイッチ付ロータリースイッチ
２１１  ロータリースイッチ部
２１２  押し釦スイッチ部
２２１  設定用ビープ音発生部
２２２  確認用ビープ音発生部
３０１  跳ね返り押し釦スイッチ
３０２  論理積回路
【図１】
2007043276.tif 000003
【図２】
2007043276.tif 000004
【図３】
2007043276.tif 000005
【図４】
2007043276.tif 000006